(57)【要約】【課題】  プリンタ状態表示プログラムと電子マニュアルとの独立性を維持しながら、プリンタ状態表示プログラムと電子マニュアルとの関連性を高める。【解決手段】  印刷装置と接続するプリンタホストであって、前記印刷装置に関する電子マニュアルを表示する電子マニュアル手段と、前記印刷装置の状態情報を取得して、あらかじめ定めた状態の場合に、その状態に対応した表示を行なう印刷装置状態情報管理手段とを備え、前記印刷装置情報管理手段は、プリンタホスト内に記録された、前記電子マニュアル手段を呼び出すための情報を参照し、前記情報にしたがって、前記電子マニュアルを起動させることを特徴とするプリンタホスト。【選択図】  図１
2006133892.tif 000002
【特許請求の範囲】
【請求項１】
印刷装置と接続するプリンタホストであって、
前記印刷装置に関する電子マニュアルを表示する電子マニュアル手段と、
前記印刷装置の状態情報を取得して、あらかじめ定めた状態の場合に、その状態に対応した表示を行なう印刷装置状態情報管理手段とを備え、
前記印刷装置情報管理手段は、
プリンタホスト内に記録された、前記電子マニュアル手段を呼び出すための情報を参照し、この情報にしたがって、前記電子マニュアルを起動させることを特徴とするプリンタホスト。
【請求項２】
印刷装置と接続し、前記印刷装置に関する電子マニュアルを表示する電子マニュアル手段を備えた情報処理装置で実行される印刷装置状態表示プログラムであって、
前記印刷装置の状態情報を取得して、あらかじめ定めた状態の場合に、その状態に対応した表示を行なう印刷装置状態情報管理手段と、
前記情報処理装置内に記録された、前記電子マニュアル手段を呼び出すための情報を参照し、この情報にしたがって、前記電子マニュアルを起動させる電子マニュアル起動手段として前記情報処理装置を機能させることを特徴とする印刷装置状態表示プログラム。
【請求項３】
請求項２に記載の印刷装置状態表示プログラムであって、
前記印刷装置状態情報管理手段は、前記状態に対応した表示を行なう際に、電子マニュアルを参照するための指示を受け付け可能とし、
前記電子マニュアル起動手段は、電子マニュアルを参照するための指示を受け付けた場合に、前記電子マニュアル手段を起動させることを特徴とする印刷装置状態表示プログラム。
【請求項４】
請求項２に記載の印刷装置状態表示プログラムであって、
前記電子マニュアル手段を呼び出すための情報は、電子マニュアル手段として前記情報処理装置を機能させるための電子マニュアルソフトウェアが格納された場所のパス情報であることを特徴とする印刷装置状態表示プログラム。
【請求項５】
請求項４に記載の印刷装置状態表示プログラムであって、
前記パス情報の設定を受け付ける設定受け付け手段として前記情報処理装置をさらに機能させることを特徴とする印刷装置状態表示プログラム。
【請求項６】
請求項２に記載の印刷装置状態表示プログラムであって、
前記印刷装置状態情報管理手段は、所定の操作を受け付けると、電子マニュアルを示す項目を含むメニューを表示し、
前記電子マニュアル起動手段は、前記メニューで電子マニュアルを示す項目が選択された場合に、前記電子マニュアル手段を起動させることを特徴とする印刷装置状態表示プログラム。
【請求項７】
請求項６に記載の印刷装置状態表示プログラムであって、
前記所定の操作は、前記印刷装置状態情報管理手段に対応したアイコン対するダブルクリックであることを特徴とする印刷装置状態表示プログラム。
【請求項８】
請求項２に記載の印刷装置状態表示プログラムであって、
前記電子マニュアル起動手段は、前記印刷装置状態情報管理手段が取得した状態情報に含まれる前記印刷装置の状態に対応した符号を前記電子マニュアル手段に通知することを特徴とする印刷装置状態表示プログラム。
【請求項９】
請求項２〜８のいずれか一項に記載の印刷装置状態表示プログラムを記録した情報処理装置読み取り可能な記録媒体。
【発明の詳細な説明】
【技術分野】
【０００１】
本発明は、印刷システムに係り、特に、プリンタ状態表示プログラムと電子マニュアルとの関連性を高めたプリンタホストに関する。
【背景技術】
【０００２】
プリンタに接続されたホストコンピュータにおいてプリンタの状態を表示するソフトウェアとしてプリンタ状態表示プログラム（ステータスモニタ）が知られている。プリンタ状態には、エラー等が発生している状態が含まれるため、ユーザは、プリンタ状態表示プログラムを介して、プリンタのエラー状況等を知ることになる。
【０００３】
近年、エラー等が発生した場合の対処方法は、プリンタに付随して提供されている電子マニュアルに記載されていることが多い。電子マニュアルに関して、特許文献１には、ユーザから表示要求を受け付けると、プリンタの状態等に応じたコンテンツを最初に表示させる技術が開示されている。
【特許文献１】特開２００３−８４９５４号公報
【発明の開示】
【発明が解決しようとする課題】
【０００４】
プリンタ状態表示プログラムと電子マニュアルとは独立したアプリケーションプログラムであるため、プリンタ状態表示プログラムでプリンタのエラー状況等を知った場合でも、その対処方法を調べるためには、改めて電子マニュアルを起動させる必要がある。
【０００５】
電子マニュアルを改めて起動させることを避けるために、電子マニュアルに記載する内容をプリンタ状態表示プログラムに含めるとすると、プリンタ状態表示プログラムの容量が大きくなるのに加え、電子マニュアルを更新する場合でも、プリンタ状態表示プログラム全体を更新しなければならず、また、逆に、プリンタ状態表示プログラムの処理部分を更新する場合でも、電子マニュアルを含めて更新しなければ、両者の整合性がとれなくなるという問題が発生する。
【０００６】
このため、プリンタ状態表示プログラムと電子マニュアルとの独立性を維持しながら、プリンタ状態表示プログラムと電子マニュアルとの関連性を高めることが望まれている。
【０００７】
本発明は、プリンタ状態表示プログラムと電子マニュアルとの独立性を維持しながら、プリンタ状態表示プログラムと電子マニュアルとの関連性を高めることを目的とする。
【課題を解決するための手段】
【０００８】
上記課題を解決するための本発明の第１の態様であるプリンタホストは、印刷装置と接続するプリンタホストであって、
前記印刷装置に関する電子マニュアルを表示する電子マニュアル手段と、
前記印刷装置の状態情報を取得して、あらかじめ定めた状態の場合に、その状態に対応した表示を行なう印刷装置状態情報管理手段とを備え、
前記印刷装置情報管理手段は、
プリンタホスト内に記録された、前記電子マニュアル手段を呼び出すための情報を参照し、この情報にしたがって、前記電子マニュアルを起動させることを特徴とする。
【０００９】
本発明によれば、印刷装置情報管理手段が前記電子マニュアル手段を呼び出すための情報を参照し、この情報にしたがって、前記電子マニュアルを起動させることができるため、電子マニュアルを改めて起動することなく、電子マニュアルを参照することができるようになる。
【００１０】
また、印刷装置情報管理手段と電子マニュアル手段とは独立しているため、それぞれの更新も独立に行なうことができる。
【００１１】
したがって、プリンタ状態表示プログラムと電子マニュアルとの独立性を維持しながら、プリンタ状態表示プログラムと電子マニュアルとの関連性を高めることができる。
【００１２】
上記課題を解決するための本発明の第２の態様である印刷装置状態表示プログラムは、印刷装置と接続し、前記印刷装置に関する電子マニュアルを表示する電子マニュアル手段を備えた情報処理装置で実行される印刷装置状態表示プログラムであって、
前記印刷装置の状態情報を取得して、あらかじめ定めた状態の場合に、その状態に対応した表示を行なう印刷装置状態情報管理手段と、
前記情報処理装置内に記録された、前記電子マニュアル手段を呼び出すための情報を参照し、この情報にしたがって、前記電子マニュアルを起動させる電子マニュアル起動手段として前記情報処理装置を機能させることを特徴とする。
【００１３】
ここで、前記印刷装置状態情報管理手段は、前記状態に対応した表示を行なう際に、電子マニュアルを参照するための指示を受け付け可能とし、
前記電子マニュアル起動手段は、電子マニュアルを参照するための指示を受け付けた場合に、前記電子マニュアル手段を起動させることができる。
【００１４】
これにより、電子マニュアルを必要とする状況で、電子マニュアルを表示させることができるようになる。
【００１５】
この際に、前記電子マニュアル起動手段は、前記印刷装置状態情報管理手段が取得した状態情報に含まれる前記印刷装置の状態に対応した符号を前記電子マニュアル手段に通知することができる。
【００１６】
これにより、印刷装置の状態に対応した電子マニュアルのページを直接表示させることができるようになる。
【発明を実施するための最良の形態】
【００１７】
本発明の実施の形態について図面を参照して説明する。
【００１８】
図１は、本発明を適用した印刷システムのハードウェア構成の概要を説明するためのブロック図である。
【００１９】
本図に示すように、印刷システムは、アプリケーションソフトウェアによる各種処理、プリンタドライバによる印刷処理、入出力装置を介したユーザインタフェース等を実現するためのコンピュータ３０がプリンタ１０と接続されて構成される。また、コンピュータ３０本体には、カラーディスプレイ等の表示装置２１、マウス、キーボード等の入力装置２２等が接続される。なお、印刷システムの構成はこれに限られない。
【００２０】
本実施形態において、コンピュータ３０は、印刷データを生成し、プリンタ１０に印刷データを送信したり、プリンタ１０の状態を管理し、状態情報（ステータス）を表示するプリンタホストとして機能する。
【００２１】
コンピュータ３０は、例えば、パーソナルコンピュータ等の汎用的な情報処理装置を用いることができる。本実施形態において、コンピュータ３０は、各種プログラムを実行するＣＰＵ（Central Processing Unit）、データおよびプログラム等を一時的に記憶するＲＡＭ（Random Access Memory）、コンピュータ３０を制御するための各種データ、各種プログラム等があらかじめ不揮発的に記憶されているＲＯＭ（Read Only Memory）等から構成される制御部３１０、表示装置２１・入力装置２２・プリンタ１０等と接続するための入出力インタフェース３２０、ＣＤ−ＲＯＭ等の記録媒体にアクセスするためのメディアドライブ装置３４０およびハードディスク等の補助記憶装置３５０を備えて構成される。もちろん、コンピュータ３０の構成はこれに限られない。
【００２２】
コンピュータ３０をプリンタホストとして機能させるためのコンピュータプログラムであるプリンタドライバプログラムおよびステータスモニタプログラムは、一般にプリンタ１０のメーカによってプリンタ１０の機種対応に開発され、ＣＤ−ＲＯＭ等の記録媒体に記録されて頒布されたり、インターネット等のコンピュータネットワークを介して流通される。ただし、ステータスモニタプログラムは、プリンタドライバプログラムに含めて開発されることもできる。そして、これらのプログラムは、コンピュータ３０にインストールされ、実行されることで、後述する機能を実現する。
【００２３】
プリンタ１０は、例えば、レーザ方式の印字機構を備えたページプリンタとすることができる。レーザ方式のページプリンタは、筐体内にトナーを収容したトナーカートリッジを備え、このトナーを印刷用紙等の印刷媒体に転写することで印刷を行なう。なお、プリンタ１０は、カラーレーザプリンタ、モノクロレーザプリンタのいずれであってもよい。また、レーザ方式に代え、例えば、インクジェット方式のプリンタを用いてもよい。
【００２４】
プリンタ１０は、ＣＰＵ・ＲＡＭ・ＲＯＭ等から構成されプリンタ１０における各種処理を制御する制御部１１０、コンピュータ３０等に接続するための入出力インタフェース１２０、トナーカートリッジ・感光体ドラム・レーザ光照射機構等の印字機構、給排紙機構等を含む印刷機構１３０を備えて構成される。もちろん、プリンタ１０の構成はこれに限られない。
【００２５】
図２は、本発明を適用したコンピュータ３０の機能構成を示すブロック図である。
【００２６】
本図に示すようにコンピュータ３０は、オペレーティングシステム部４０と、プリンタドライバ部４１と、ステータスモニタ部４２と、電子マニュアル部５０とを有している。
【００２７】
プリンタドライバ部４１とステータスモニタ部４２とは、コンピュータ３０に接続されたプリンタ１０対応に組になってコンピュータ３０に構築される。ただし、ステータスモニタ部４２は、プリンタドライバ部４１に含めるようにしてもよい。
【００２８】
オペレーティングシステム部４０は、コンピュータ３０の基本的なユーザインタフェース、ファイル管理等を制御する、いわゆる基本ソフトウェアである。オペレーティングシステム部４０は、グラフィカルユーザインタフェースを採用しており、メニュー、ダイアログボックス等を用いたユーザインタフェースを提供している。
【００２９】
プリンタドライバ部４１、ステータスモニタ部４２は、オペレーティングシステム部４０上で動作する機能部である。したがって、ステータスモニタ部４２がダイアログボックスあるいはメニュー等を表示する場合には、オペレーティングシステム部４０で定められた形式のデータをオペレーティングシステム部４０に出力することで、表示装置２１での表示が行なわれる。
【００３０】
プリンタドライバ部４１は、図示しないアプリケーションソフトウェアで作成されたドキュメントをプリンタ１０で印刷させるための処理を行なう。
【００３１】
ステータスモニタ部４２は、プリンタ１０と通信を行ない、プリンタ１０のステータスに関する情報を取得し、必要に応じて、表示装置２１に表示する。ステータスモニタ部４２が取得するプリンタ１０のステータスに関する情報は、消耗品の状態、エラー発生状況、印刷ジョブ受け付け状況等を含むことができる。エラー発生状況等はその内容に応じて、あらかじめコードが定められており、ステータスに含まれるコード（ステータスコード）により、プリンタ１０でどのようなエラー等が発生しているかを特定することができるようになっている。
【００３２】
上述のように、ステータスモニタ部４２は、ステータスモニタプログラムに基づくものであるが、ステータスモニタプログラムをコンピュータ３０にインストールすると、図３に示す表示画面５００のように、オペレーティングシステム部４０が提供する実行中プログラム表示領域５０１（例えば、マイクロソフト社のWindows（登録商標）では、タスクバーのタスクトレイ内）に、ステータスモニタ部４２に対応したアイコン５１０が表示される。
【００３３】
電子マニュアル部５０は、プリンタ１０に関する説明を含む電子文書を表示装置２１に表示させるための処理を行なう。電子マニュアル部５０は、電子マニュアル管理部５１とマニュアルデータ部５２とを含んでいる。
【００３４】
マニュアルデータ部５２は、表示させる電子マニュアルの本体部分である。マニュアルデータ部５２は、複数のページデータから構成され、各ページデータには、テキストデータのみならず、動画データ、音声データ等を含むことができる。
【００３５】
電子マニュアル管理部５１は、表示装置２１に表示させる電子マニュアルのページを管理する処理を行なう。具体的には、電子マニュアル管理部５１は、プリンタ１０から送られるステータスコードと、そのステータスコードが示すエラー状況等に対応した表示すべきページとが関連付けられたテーブルを有しており、ステータスコードに対応した電子マニュアルのページを表示装置２１に表示させるようにしている。
【００３６】
コンピュータ３０上に電子マニュアル部５０を構成するための電子マニュアルソフトウェアもプリンタ１０のメーカ等によってプリンタ１０の機種対応に開発され、ＣＤ−ＲＯＭ等の記録媒体に記録されて頒布されたり、インターネット等のコンピュータネットワークを介して流通される。
【００３７】
電子マニュアル部５０を構築するための電子マニュアルソフトウェアは、コンピュータ３０にインストールされる際に、コンピュータ３０のオペレーティングシステム部４０が管理する所定の記憶領域（例えば、レジストリ領域）に、インストールされていることを示す存在フラグと、インストール場所のパス情報を電子マニュアルインストール情報４５として登録する。また、電子マニュアル部５０の説明対象のプリンタ機種を示す情報を記録した設定ファイルもあわせて登録する。
【００３８】
ステータスモニタ部４２は、この電子マニュアルインストール情報４５を参照することで、コンピュータ３０に電子マニュアルがインストールされているか否か、インストールされている場合には、その格納場所および説明対象のプリンタ機種を判別することができる。
【００３９】
図４は、ステータスモニタ部４２に対応したアイコン５１０がユーザから所定の操作、例えば、入力装置２２としてのマウスの右クリックを受け付けた場合に表示するメニュー５２０の一例を示す図である。
【００４０】
ステータスモニタ部４２は、電子マニュアルインストール情報４５を参照して、プリンタ１０に対応した電子マニュアルがインストールされているかどうかを判別する。そして、インストールされている場合には、ユーザがメニュー５２０上で「電子マニュアル」５２０ａが選択できるようにする。一方、電子マニュアルがインストールされていない場合には、「電子マニュアル」５２０ａ部分をグレーアウト表示等することで、ユーザが「電子マニュアル」５２０ａを選択できないようにする。
【００４１】
以下では、コンピュータ３０には、プリンタ１０に対応した電子マニュアルがすでにインストールされているものとして説明する。
【００４２】
メニュー５２０上で「電子マニュアル」５２０ａが選択できる場合に、ユーザにより「電子マニュアル」５２０ａが選択されると、ステータスモニタ部４２は、電子マニュアルインストール情報４５に記録されているパス情報を参照して、電子マニュアル部５０に電子マニュアルを起動させる。すなわち、ステータスモニタ部４２から直接電子マニュアルを起動させることができるようになっている。
【００４３】
また、メニュー５２０には、「通知設定」５２０ｂが含まれている。ユーザにより「通知設定」５２０ｂが選択されると、ステータスモニタ部４２は、例えば、図５に示すような通知設定ダイアログボックス５４０を表示させる。
【００４４】
本図に示すように、通知設定ダイアログボックス５４０では、プリンタの監視設定に加え、電子マニュアルに関する設定を行なうことができる。
【００４５】
本ダイアログボックス５４０において、チェックボックスを含む領域である「電子マニュアルを参照する」５４１がユーザによりチェックされると、ステータスモニタ部４２は、電子マニュアルインストール情報４５を参照して、電子マニュアルのインストール場所のパス情報を取得し、インストール先表示欄５４２に表示する。なお、「電子マニュアルを参照する」５４１はステータスモニタ部４２と電子マニュアル部５０とを関連付けるかどうかをユーザが指定することができる欄である。
【００４６】
本ダイアログボックス５４０において、「開く」ボタン５４３のクリックを受け付けると、ステータスモニタ部４２は、インストール先表示欄５４２に表示された電子マニュアルを起動させる。
【００４７】
また、「参照」ボタン５４４のクリックを受け付けると、電子マニュアルが格納されている場所を示す任意のパスの設定を受け付ける。ユーザは、他の電子マニュアルが格納されているパスを登録することで、パス情報に登録されている電子マニュアル以外の電子マニュアルを参照することができるようになる。ステータスモニタ部４２は、ユーザにより新たなパス情報が設定されると、電子マニュアルインストール情報４５に記録されているパス情報を更新する。これにより、インストール先表示欄５４２の表示も更新される。
【００４８】
つぎに、ステータスモニタ部４２が、プリンタ１０からステータスを取得した場合の特徴的な処理について図６のフロー図を参照して説明する。
【００４９】
ステータスモニタ部４２がプリンタ１０からステータス情報を取得すると（Ｓ１０１）、取得したステータス情報に基づいて、プリンタ１０でエラー等のユーザに通知すべき状況が発生しているかどうかを判断する（Ｓ１０２）。どのような状況について、ユーザに通知すべきかはあらかじめ定めておくことができる。
【００５０】
その結果、ユーザに通知すべき状況が発生していない場合（Ｓ１０２：Ｎ）には、本処理を終了して、次のステータス取得のタイミングを待つ。
【００５１】
一方、ユーザに通知すべき状況が発生している場合（Ｓ１０２：Ｙ）には、ユーザに状況を通知するとともに、対処方法が記された画面を表示装置２１に表示させるが、これに先立ち、通知設定ダイアログボックス５４０で「電子マニュアルを参照する」５４１がユーザによりチェックされているかどうかを調べる（Ｓ１０３）。
【００５２】
この結果、「電子マニュアルを参照する」５４１がユーザによりチェックされている場合（Ｓ１０３：Ｙ）には、図７に示すような「電子マニュアル」ボタン５６１を含むエラー対処画面５６０を表示装置２１に表示させる（Ｓ１０５）。ここで、エラー対処画面５６０に表示する情報は、ステータス情報に含まれるステータスコードに応じた内容とする。すなわち、プリンタ１０で発生しているエラー等の対処情報が表示される。本図では、ステータスコードがプリンタ１０で消耗品が正しくセットされていないことを示す場合を例としており、この場合の対処方法が表示されている。
【００５３】
本画面５６０では、対処方法の概要が示されるが、ユーザは、電子マニュアルの該当箇所を参照することで、より詳しい対処情報を入手することができる。このため、エラー対処画面５６０に「電子マニュアル」ボタン５６１を含めるようにしている。
【００５４】
エラー通知画面５６０で「電子マニュアル」５６１のクリックを受け付けると（Ｓ１０６：Ｙ）、ステータスモニタ部４２は、電子マニュアルインストール情報４５に記録されているパス情報を参照して、電子マニュアル部５０に電子マニュアルを起動させる。この際に、ステータスコードを電子マニュアル部５０の電子マニュアル管理部５１に通知する。
【００５５】
これに応じて、電子マニュアル管理部５１は、ステータスコードに対応した電子マニュアルのページを特定し、そのページを表示装置２１に表示させるようにする。すなわち、ステータスモニタ部４２からプリンタ１０の状況に応じた電子マニュアルのページを直接表示させることができるようになっている。
【００５６】
一方、「電子マニュアルを参照する」５４１がユーザによりチェックされていない場合（Ｓ１０３：Ｎ）には、ユーザが電子マニュアルを直接表示させることを望んでいないとして、従来どおり「電子マニュアル」ボタン５６１を含まないエラー通知画面を表示装置２１に表示させる（Ｓ１０４）。
【００５７】
このように、本発明では、ステータスモニタ部４２で電子マニュアル部５０との関連付けを行なうことにより、電子マニュアルを改めて起動することなく、ステータスモニタ部４２から電子マニュアルを参照することができるようになる。
【００５８】
また、ステータスモニタ部４２および電子マニュアル部５０は独立しているため、それぞれの更新も独立に行なうことができる。
【００５９】
なお、上記の実施形態は、コンピュータ３０とプリンタ１０とがローカルに接続されている例を説明したが、本発明は、複数のコンピュータ３０が接続されているネットワーク印刷システムに本発明を適用することもできる。
【００６０】
図８は、ネットワーク印刷システムの構成を示すブロック図である。本図では、複数のコンピュータ３０（３０ａ、３０ｂ、３０ｃ、３０ｄ）がネットワークを介してプリンタ１０に接続されている。
【００６１】
このような構成で、電子マニュアル部５０は、１台のコンピュータ３０ｄに格納することができる。すなわち、コンピュータ３０ｄを電子マニュアルサーバとして、他のコンピュータ３０（３０ａ、３０ｂ、３０ｃ）は、コンピュータ３０ｄに格納されている電子マニュアル部５０ｄを参照することで、それぞれのコンピュータ３０上で電子マニュアルを表示させることができる。
【００６２】
この場合は、クライアントとなるコンピュータ３０（３０ａ、３０ｂ、３０ｃ）のステータスモニタ部４２（４２ａ、４２ｂ、４２ｃ）が表示するそれぞれの通知設定ダイアログボックス５４０（図５参照）のインストール先５４２で、電子マニュアルサーバであるコンピュータ３０ｄが電子マニュアルを格納している場所のパスを設定すればよい。
【００６３】
このような構成では、ネットワーク印刷システム内で電子マニュアルを共有しているため、電子マニュアルの更新は、電子マニュアルを格納しているコンピュータ３０ｄで行なえば足りることになる。
【図面の簡単な説明】
【００６４】
【図１】印刷システムのハードウェア構成を説明するためのブロック図である。
【図２】コンピュータの機能構成を示すブロック図である。
【図３】ステータスモニタ部に対応したアイコンを示す図である。
【図４】表示されるメニューを示す図である。
【図５】通知設定ダイアログボックスを示す図である。
【図６】ステータスを取得した場合の処理を説明するフロー図である。
【図７】対処ページ表示画面を示す図である。
【図８】ネットワーク印刷システムの機能構成を示すブロック図である。
【符号の説明】
【００６５】
１０…プリンタ、２１…表示装置、２２…入力装置、３０…コンピュータ、４０…オペレーティングシステム部、４１…プリンタドライバ部、４２…ステータスモニタ部、１１０…制御部、１２０…入出力インタフェース、１３０…印刷機構、３１０…制御部、３２０…入出力インタフェース、３３０…ネットワークインタフェース、３４０…メディアドライブ装置、３５０…補助記憶装置
【図１】
2006133892.tif 000003
【図２】
2006133892.tif 000004
【図３】
2006133892.tif 000005
【図４】
2006133892.tif 000006
【図５】
2006133892.tif 000007
【図６】
2006133892.tif 000008
【図７】
2006133892.tif 000009
【図８】
2006133892.tif 000010